【手続補正書】
【提出日】令和3年9月2日(2021.9.2)
【手続補正１】
【補正対象書類名】明細書
【補正対象項目名】００９１
【補正方法】変更
【補正の内容】
【００９１】
特許請求の範囲の解釈をする目的で、特定の用語「〜のための手段」又は「〜のためのステップ」が請求項に記載されていない限り、米国特許法の第112条（f）項の規定が発動されないことを明確に意図する。
本件出願は、以下の態様の発明を提供する。
（態様１）
コンピュータシステムにおける不正行為を検出するためのシステムであって：
少なくとも1つのプロセッサのコンピューティングハードウェア及び該少なくとも1つのプロセッサに動作可能に結合されたメモリを備えるコンピューティングプラットフォーム；並びに
命令を含み、該命令が、該コンピューティングプラットフォーム上で実行されると、収集ツール、グラフ作成ツール、検索ツール、分析ツールを該コンピューティングプラットフォームに実装させ、
該収集ツールが、
該コンピュータシステムについての複数の情報オブジェクトを収集し、かつ
該複数の情報オブジェクト間の複数の関係を決定するように構成され、
該グラフ作成ツールが、
該複数の情報オブジェクト及び該複数の関係に基づいて少なくとも第1の中間グラフ及び第2の中間グラフを作成するように構成され、該第1及び第2の中間グラフが、頂点としての該複数の情報オブジェクト及び辺としての該複数の関係で形成され、かつ該グラフ作成ツールが、
該少なくとも第1及び第2の中間グラフに基づいて最終グラフを作成するように構成され、該最終グラフが、該第1の中間グラフからの少なくとも1つの頂点、及び該第2の中間グラフからの少なくとも1つの頂点、及び該第1の中間グラフからの少なくとも1つの頂点と該第2の中間グラフからの少なくとも1つの頂点とを接続する少なくとも1つの辺を含み、
該検索ツールが、
類似度閾値に基づいて該最終グラフに類似した、不正行為率が割り当てられた少なくとも1つの既存のグラフをグラフデータベースから選択するように構成され、
該分析ツールが、該少なくとも1つの既存のグラフに基づいて不正行為を決定するように構成されている、前記システム。
（態様２）
前記複数の情報オブジェクトが、ファイル、ネットワークパケット、ウェブサイト、ランダムアクセスメモリ（RAM）のページ、システムプロセス、オペレーティングシステムのオブジェクト、オペレーティングシステムのイベント、オペレーティングシステムのログ内のエントリ、アプリケーションのログ内のエントリ、マスタファイルテーブル（MFT）内のエントリ、又はオペレーティングシステムのレジストリ内のエントリの少なくとも1つである、態様1記載のシステム。
（態様３）
前記収集ツールが、前記複数の情報オブジェクトの2つの間の関係の信頼度を、該複数の情報オブジェクトの2つのうちの第1の情報オブジェクトが該複数の情報オブジェクトの2つのうちの第2の情報オブジェクトに対して論理的又は機能的関係を有する確率を特徴付ける数値として決定することによって複数の関係の少なくとも1つを決定するようにさらに構成されている、態様1記載のシステム。
（態様４）
前記収集ツールが、前記信頼度が信頼閾値を超えている場合に、前記複数の情報オブジェクト及び前記複数の関係を前記グラフ作成ツールに送信するようにさらに構成されている、態様3記載のシステム。
（態様５）
前記複数の情報オブジェクトが、学習済み選択モデルを使用して選択され、該学習済み選択モデルが、既知の不正を有する学習サンプルによって既に学習されている、態様1記載のシステム。
（態様６）
前記コンピューティングプラットフォーム上で実行される前記命令が、該コンピューティングプラットフォームに再学習ツールをさらに実装させ：
該再学習ツールが、
前記収集ツールによって収集された前記複数の情報オブジェクトを該収集ツールの第1の段階から該収集ツールの第2の段階にかけて削減すること、及び
前記グラフ作成ツールの資源の消費を該収集ツールの第1の段階から該収集ツールの第2の段階にかけて削減することによる不正行為の決定に基づいて前記学習済み選択モデルを再学習させるように構成されている、態様4記載のシステム。
（態様７）
前記グラフ作成ツールが、少なくとも、情報オブジェクト間の関係を減らすこと、所定のオブジェクト特性を有する情報オブジェクトを除外すること、所定の関係特性を有する関係を除外すること、重複関係を除外すること、又は関係線間の交点の数を最小限にすることによって前記最終グラフを最適化するようにさらに構成されている、態様1記載のシステム。
（態様８）
前記グラフデータベースに、前記複数の情報オブジェクト及び既知の不正行為に基づいてグラフが追加される、態様1記載のシステム。
（態様９）
前記分析ツールが、前記少なくとも1つの既存のグラフの前記不正行為率及び該少なくとも1つの既存のグラフの前記最終グラフに対する類似度を分析することによって不正行為を決定するように構成されている、態様1記載のシステム。
（態様１０）
前記不正行為率が：
（数１）
2020013532.tif 000001
によって計算され、
式中、wが、分析中の前記コンピュータシステムにおける不正行為率であり；
wjが、前記グラフデータベースから選択されたグラフjの不正行為率であり；
c{i,j}が、グラフiと該グラフデータベースから選択された該グラフjとの間の類似度であり；
Nが、分析中の該コンピュータシステム用に作成されたグラフの数であり；
Mが、該グラフデータベースから選択されたグラフの数である、態様9記載のシステム。
（態様１１）
前記第1及び第2の中間グラフが、指定された直径よりも小さいグラフの直径に従って作成される、態様1記載のシステム。
（態様１２）
コンピュータシステムにおける不正行為を検出するための方法であって：
該コンピュータシステムについての複数の情報オブジェクトを収集するステップ；
該複数の情報オブジェクト間の複数の関係を決定するステップ；
該複数の情報オブジェクト及び該複数の関係に基づいて少なくとも第1の中間グラフ及び第2の中間グラフを作成するステップであって、該第1及び第2の中間グラフが、頂点としての該複数の情報オブジェクト及び辺としての該複数の関係で作成される、該ステップ；
該少なくとも第1及び第2の中間グラフに基づいて最終グラフを作成するステップであって、該最終グラフが、該第1の中間グラフからの少なくとも1つの頂点、及び該第2の中間グラフからの少なくとも1つの頂点、及び該第1の中間グラフからの少なくとも1つの頂点と該第2の中間グラフからの少なくとも1つの頂点とを接続する少なくとも1つの辺を含む、該ステップ；
類似度閾値に基づいて該最終グラフに類似した、不正行為率が割り当てられた少なくとも1つの既存のグラフをグラフデータベースから選択するステップ；並びに
該少なくとも1つの既存のグラフに基づいて不正行為を決定するステップを含む、前記方法。
（態様１３）
複数の関係の少なくとも1つを決定するステップが、前記複数の情報オブジェクトの2つの間の関係の信頼度を、該複数の情報オブジェクトの2つのうちの第1の情報オブジェクトが該複数の情報オブジェクトの2つのうちの第2の情報オブジェクトに対して論理的又は機能的関係を有する確率を特徴付ける数値として決定するステップを含む、態様12記載の方法。
（態様１４）
前記複数の情報オブジェクトが、学習済み選択モデルを使用して選択され、該学習済み選択モデルが、既知の不正を有する学習サンプルによって既に学習されている、態様12記載の方法。
（態様１５）
収集された前記複数の情報オブジェクトを削減すること及び資源の消費を削減することによる不正行為の決定に基づいて前記学習済み選択モデルを再学習させるステップをさらに含む、態様14記載の方法。
（態様１６）
少なくとも、情報オブジェクト間の関係を減らすこと、所定のオブジェクト特性を有する情報オブジェクトを除外すること、所定の関係特性を有する関係を除外すること、重複関係を除外すること、又は関係線間の交点の数を最小限にすることによって前記最終グラフを最適化するステップをさらに含む、態様12記載の方法。
（態様１７）
不正行為を決定するステップが、前記少なくとも1つの既存のグラフの不正行為率及び該少なくとも1つの既存のグラフの前記最終グラフに対する類似度を分析するステップを含む、態様12記載の方法。
（態様１８）
前記第1及び第2の中間グラフが、指定された直径よりも小さいグラフの直径に従って作成される、態様12記載の方法。
（態様１９）
コンピュータシステムの特性を決定するためのシステムであって：
少なくとも1つのプロセッサのコンピューティングハードウェア及び該少なくとも1つのプロセッサに動作可能に結合されたメモリを備えるコンピューティングプラットフォーム；並びに
命令を含み、該命令が、該コンピューティングプラットフォーム上で実行されると、グラフ作成ツール、分析ツールを該コンピューティングプラットフォームに実装させ、
該グラフ作成ツールが、
該コンピュータシステムについての複数の情報オブジェクト及び該複数の情報オブジェクト間の複数の関係を受信し、
頂点としての該複数の情報オブジェクトの少なくとも2つ及び辺としての該複数の関係の少なくとも1つを含む第1のグラフを作成し、
該複数の情報オブジェクトの少なくとも2つを含む第2のグラフを作成し、
該第1のグラフ及び該第2のグラフに基づいて統合グラフを作成するように構成され、該統合グラフが、該第1のグラフと該第2のグラフとの間で共有される全ての同一の情報オブジェクトを含み、かつ
該分析ツールが、
該統合グラフに基づいて該コンピュータシステムの特性を決定するように構成されている、前記システム。
（態様２０）
前記グラフ作成ツールが、
前記第1のグラフと前記第2のグラフとの間で共有される前記同一の情報オブジェクトに無関係の全ての情報オブジェクト及び関係を除外すること；並びに
該第1のグラフにも該第2のグラフにも存在しなかった情報オブジェクト間の少なくとも1つの新たな関係を決定することによって、前記統合グラフに基づいて最適化グラフを作成するように構成されている、態様19記載のシステム。